(57)【要約】【課題】目的の設定項目をより少ない工程数で表示して、ユーザの使い勝手を向上させることができるようにする。【解決手段】本発明に係る端末装置は、少なくとも、撮像部と表示部とを備える端末装置において、画像形成装置の階層構造の設定一覧情報を記憶する設定一覧情報記憶部と、撮像部により撮像された画像形成装置の設定項目を含む画像データから設定項目を認識し、設定一覧情報から設定項目の設定画面を表示部に表示する設定画面表示制御部と、設定画面を通じて変更された当該設定項目の設定値を含む変更要求情報を画像形成装置に送信する通信部とを備えることを特徴とする。【選択図】      図１
2017076192.tif 000002
【特許請求の範囲】
【請求項１】
少なくとも、撮像部と表示部とを備える端末装置において、
画像形成装置の階層構造の設定一覧情報を記憶する設定一覧情報記憶部と、
前記撮像部により撮像された前記画像形成装置の設定項目を含む画像データから前記設定項目を認識し、前記設定一覧情報から前記設定項目の設定画面を前記表示部に表示する設定画面表示制御部と、
前記設定画面を通じて変更された当該設定項目の設定値を含む変更要求情報を前記画像形成装置に送信する通信部と
を備えることを特徴とする端末装置。
【請求項２】
前記画像形成装置に対して前記設定一覧情報を含む印刷物の印刷指令を指示する印刷指示部を備えることを特徴とする請求項１に記載の端末装置。
【請求項３】
前記画像形成装置に対して、設定されている前記設定一覧情報の取得要求を行う設定一覧情報取得要求部を備えることを特徴とする請求項１又は２に記載の端末装置。
【請求項４】
前記設定画面表示制御部が、
前記画像データから文字認識を行なう文字認識部と、
前記設定一覧情報を参照して、前記文字認識部の認識結果に一致する設定項目を検出する設定項目検出部と、
前記設定項目検出部により検出された前記設定項目の設定画面を前記表示部に表示する設定画面表示部と
を備えることを特徴とする端末装置。
【請求項５】
端末装置と通信する通信部と、
前記端末装置から受信した、設定一覧情報を含む印刷物の印刷指令に基づいて、設定一覧情報を含む印刷物を印刷する印刷実行部と、
前記端末装置から受信した、設定一覧情報の取得要求に基づいて、設定一覧情報を前記端末装置に与える設定情報送信部と、
前記端末装置から受信した、設定項目の設定値を含む変更要求情報に基づいて、自身の設定情報を変更する設定情報変更部と
を備えることを特徴とする画像形成装置。
【請求項６】
１又は複数の請求項５に記載の画像形成装置と、
少なくとも、撮像部と表示部とを有する請求項１〜４のいずれかに記載の端末装置と
を備えることを特徴とする画像処理システム。
【請求項７】
少なくとも、撮像部と表示部とを備える端末装置の設定変更プログラムにおいて、
画像形成装置の階層構造の設定一覧情報を記憶する設定一覧情報記憶部を有するコンピュータを、
前記撮像部により撮像された前記画像形成装置の設定項目を含む画像データから前記設定項目を認識し、前記設定一覧情報から前記設定項目の設定画面を前記表示部に表示する設定画面表示制御部と、
前記設定画面を通じて変更された当該設定項目の設定値を含む変更要求情報を前記画像形成装置に送信する通信部と
して機能させることを特徴とする設定情報変更プログラム。
【発明の詳細な説明】
【技術分野】
【０００１】
本発明は、端末装置、画像形成装置、画像処理システム及び設定情報変更プログラムに関するものである。
【背景技術】
【０００２】
従来、画像形成装置に搭載されている各種機能の設定情報を変更する場合、オペレータパネルに階層構造を持つ設定メニューを表示させて、ユーザが、１階層ずつメニューを選択して、目的の設定項目の設定値を表示させて設定値の変更を行なう（特許文献１参照）。
【先行技術文献】
【特許文献】
【０００３】
【特許文献１】特開２００２−３２３９４６号公報
【発明の概要】
【発明が解決しようとする課題】
【０００４】
しかしながら、画像形成装置が多機能になっており、設定項目の数が増大している。そのため、設定メニューの階層数が増大し、１階層あたりのメニュー数も増えており、ユーザが目的のメニューに到達するまでに時間がかかり、ユーザ操作の負担が大きくなっているという問題がある。
【０００５】
本発明は、上記課題に鑑み、目的の設定項目をより少ない工程数で表示して、ユーザの使い勝手を向上させることができるようにする。
【課題を解決するための手段】
【０００６】
本発明は、上記課題を解決するために、以下の構成要素を有する。
【０００７】
第１の本発明に係る端末装置は、少なくとも、撮像部と表示部とを備える端末装置において、（１）画像形成装置の階層構造の設定一覧情報を記憶する設定一覧情報記憶部と、（２）撮像部により撮像された画像形成装置の設定項目を含む画像データから設定項目を認識し、設定一覧情報から設定項目の設定画面を表示部に表示する設定画面表示制御部と、（３）設定画面を通じて変更された当該設定項目の設定値を含む変更要求情報を画像形成装置に送信する通信部とを備えることを特徴とする。
【０００８】
第２の本発明に係る画像形成装置は、端末装置と通信する通信部と、端末装置から受信した、設定一覧情報を含む印刷物の印刷指令に基づいて、設定一覧情報を含む印刷物を印刷する印刷実行部と、端末装置から受信した、設定一覧情報の取得要求に基づいて、設定一覧情報を端末装置に与える設定情報送信部と、端末装置から受信した、設定項目の設定値を含む変更要求情報に基づいて、自身の設定情報を変更する設定情報変更部とを備えることを特徴とする。
【０００９】
第３の本発明に係る画像処理システムは、１又は複数の第２の本発明の画像形成装置と、少なくとも、撮像部と表示部とを有する第１の本発明の端末装置とを備えることを特徴とする。
【００１０】
第４の本発明に係る設定変更プログラムは、少なくとも、撮像部と表示部とを備える端末装置の設定変更プログラムにおいて、画像形成装置の階層構造の設定一覧情報を記憶する設定一覧情報記憶部を有するコンピュータを、（１）撮像部により撮像された画像形成装置の設定項目を含む画像データから設定項目を認識し、設定一覧情報から設定項目の設定画面を表示部に表示する設定画面表示制御部と、（２）設定画面を通じて変更された当該設定項目の設定値を含む変更要求情報を画像形成装置に送信する通信部として機能させることを特徴とする。
【発明の効果】
【００１１】
本発明によれば、目的の設定項目をより少ない工程数で表示することができるため、ユーザの使い勝手を向上させることができる。
【図面の簡単な説明】
【００１２】
【図１】実施形態に係る画像処理システムの全体構成を示す全体構成図である。
【図２】実施形態に係る携帯端末の内部構成と、設定情報変更部の機能的な構成とを示すブロック図である。
【図３】実施形態に係るプリンタの内部構成を示すブロック図である。
【図４】実施形態に係る携帯端末における処理動作を示すフローチャートである。
【図５】実施形態に係るプリンタ選択画面を説明する説明図である。
【図６】実施形態に係るメニューマップ印刷画面を説明する説明図である。
【図７】実施形態に係るプリンタに指示するコマンドを説明する説明図である。
【図８】実施形態に係るプリンタが印刷するメニューマップを説明する説明図である。
【図９】実施形態に係る携帯端末がプリンタから取得したメニュー設定情報を説明する説明図である。
【図１０】実施形態に係る設定画像入力画面を説明する説明図である。
【図１１】実施形態に係るメニュー設定画面を説明する説明図である。
【図１２】実施形態に係る階層メニュー画面を説明する説明図である。
【発明を実施するための形態】
【００１３】
（Ａ）主たる実施形態
以下では、本発明による端末装置、画像形成装置、画像処理システム及び設定情報変更プログラムの実施形態を、図面を参照して説明する。
【００１４】
（Ａ−１）実施形態の構成
図１は、実施形態に係る画像処理システムの全体構成を示す全体構成図である。
【００１５】
図１において、実施形態に係る画像処理システム５は、端末装置としての携帯端末１と、ネットワーク４と接続しているアクセスポイント２、画像形成装置としてのプリンタ３−１〜３−ｎ（ｎは整数）を有する。なお、以下では、全てのプリンタ３−１〜３−ｎに共通の機能や処理を説明する場合には、「プリンタ３」を表記して説明する。
【００１６】
ネットワーク４は、例えばローカルエリアネットワーク等のように、企業内又は家屋内等に敷設された通信回線網を適用できる。
【００１７】
アクセスポイント２は、携帯端末１との間で無線通信により情報を授受する。アクセスポイント２は、携帯端末１から無線受信した情報を、ネットワーク４に接続しているプリンタ３−１〜３−ｎに送信したり、プリンタ３−１〜３−ｎから受信した情報を、携帯端末１に無線送信したりする。
【００１８】
プリンタ３は、ネットワーク４を通じて、携帯端末１からメニュー設定情報取得コマンドを受信すると、自身に設定されている階層構造を持つ設定情報の設定項目及び設定値を一覧させた設定一覧情報（以下では、「メニュー設定情報」とも呼ぶ。）を携帯端末１に送信する。プリンタ３がメニュー設定情報を携帯端末１に送信することにより、携帯端末１に対して、当該プリンタ３に現在設定されている設定情報を知らせることができる。
【００１９】
また、プリンタ３は、ネットワーク４を通じて、携帯端末１から取得したメニューマップ印刷コマンドに基づいて、自身に設定されている階層構造を持つ設定情報の全体的な構成を示す全体構成一覧情報を印刷する。この全体構成一覧情報を印刷した印刷物を「メニューマップ」とも呼ぶ。メニューマップの詳細な説明は後述するが、メニューマップは、プリンタ３に現在設定されている設定情報のそれぞれの階層毎の設定項目及び設定値を含む一覧情報である。
【００２０】
さらに、プリンタ３は、ネットワーク４を通じて、携帯端末１から取得した変更要求コマンドに基づいて、対応する設定項目の設定値を変更する。変更要求コマンドは、設定項目の種類毎に取り決められたコマンドとしても良く、変更対象とする設定項目と、変更後の設定値とを含むものである。
【００２１】
携帯端末１は、例えば、スマートフォン、タブレット型コンピュータ、パーソナルコンピュータ、携帯電話機、ゲーム機等を適用できる。
【００２２】
携帯端末１は、プリンタ３のメニューマップを撮像対象とし、メニューマップに印刷されている、変更対象とする設定項目の文字領域を撮像し、その撮像画像データから文字認識をして得た設定項目の設定画面を表示して、設定値の変更を行なう設定情報変更機能を有する。つまり、印刷物としてのメニューマップ上の変更対象の設定項目を撮像することで、当該設定項目の設定画面が表示され、当該設定項目の設定値を変更できる。これにより、従来のように、プリンタのオペレータパネル上に表示される設定メニューを１階層ずつ選択して目的の設定項目を探すことなく、目的の設定項目の設定画面を表示することができる。
【００２３】
設定情報変更機能は、携帯端末３がアプリケーションソフトウェアとしてインストールすることにより構築できる。以下では、携帯端末１における設定情報変更機能を「設定情報変更部１１０」と呼んで説明する。
【００２４】
なお、この実施形態では、プリンタ３がネットワーク４及びアクセスポイント２を通じて携帯端末１との間で通信を行なう場合を例示する。しかし、プリンタ３が無線通信機能を搭載する場合には、携帯端末１とプリンタ３とが直接無線通信により情報の授受を行なうようにしても良い。この場合、画像処理システム５はネットワーク４及びアクセスポイント２を設けないようにしても良い。
【００２５】
図２は、実施形態に係る携帯端末１の内部構成と、設定情報変更部の機能的な構成とを示すブロック図である。
【００２６】
図２において、実施形態に係る携帯端末１は、操作部１０１、表示部１０２、撮像部１０３、記憶部１０４、通信制御部１０５、設定情報変更部１１０を有する。
【００２７】
表示部１０２は、各種画面を表示したり、ユーザにより入力された入力情報を表示したりするディスプレイである。操作部１０１は、ユーザ操作により入力された入力情報を取り込むものである。操作部１０１及び表示部１０２は、それぞれ物理的に異なる構成であっても良いし、例えばタッチパネルディスプレイのように操作部１０１と表示部１０２が物理的に一体型の構成あっても良い。
【００２８】
撮像部１０３は、プリンタ３のメニューマップを撮像した撮像画像を設定情報変更部１１０に与えるものである。
【００２９】
設定情報変更部１１０は、プリンタ検索部１１１、プリンタリスト作成部１１２、メニューマップ印刷指示部１１３、メニュー設定情報取得要求部１１４、設定画面表示制御部１１５、設定情報変更指示部１１９を有する。
【００３０】
プリンタ検索部１１１は、ネットワーク４に接続しているプリンタ３を検索するものである。例えば、ネットワーク４上のプリンタ３を探索するため、プリンタ検索部１１１がプリンタ検索情報を通信制御部１０５に与えて、通信制御部１０５がプリンタ検索情報を含むパケットを無線送信する。
【００３１】
プリンタリスト作成部１１２は、プリンタ３から返信されたプリンタ識別子に基づいて、ネットワーク４上に存在する全てのプリンタ３のプリンタ名を含むプリンタリストを作成する。プリンタリスト作成部１１２は、作成したプリンタリスト１０４ａを記憶部１０４に記憶する。また、プリンタリスト１０４ａは表示部１０２に画面表示され、ユーザが設定変更対象とするプリンタ３のプリンタ名を選択できる。
【００３２】
メニューマップ印刷指示部１１３は、ユーザにより設定変更対象のプリンタ３が選択されると、そのプリンタ３にメニューマップ印刷を指示する。例えば、メニューマップ印刷指示部１１３は、メニューマップ印刷コマンドを通信制御部１０５に与え、通信制御部１０５が、メニューマップ印刷コマンドを含むパケットを、選択されたプリンタ３に送信する。これにより、メニューマップ印刷コマンドを受信したプリンタ３は、自身に設定されている設定情報のメニューマップを印刷する。
【００３３】
メニュー設定情報取得要求部１１４は、ユーザにより設定変更対象のプリンタ３が選択されると、そのプリンタ３にメニュー設定情報取得要求を行う。例えば、メニュー設定情報取得要求部１１４は、メニュー設定情報取得コマンドを通信制御部１０５に与え、通信制御部１０５が、メニュー設定情報取得コマンドを含むパケットを、選択されたプリンタ３に送信する。メニュー設定情報取得コマンドを受信したプリンタ３は、自身に設定されているメニュー設定情報を、携帯端末１に送信する。メニュー設定情報取得要求部１１４は、取得したメニュー設定情報１０４ｂを記憶部１０４に記憶する。
【００３４】
設定画面表示制御部１１５は、メニューマップに印刷されている設定項目の文字列を撮像部１０３が撮像し、撮像部１０３からの画像データに基づいて文字認識を行ない、変更対象とする設定項目を検出し、検出された設定項目の設定画面を表示部１０２に表示する。
【００３５】
設定画面表示制御部１１５は、画像入力部１１６、設定項目検出部１１７、設定画面表示部１１８を有する。
【００３６】
画像入力部１１６は、ユーザによりプリンタ３が選択されると、撮像部１０３を起動させる。また、画像入力部１１６は、撮像部１０３が撮像する画像データを入力する。
【００３７】
設定項目検出部１１７は、撮像部１０３からの画像データに基づいて、文字認識処理を行なう。また、設定項目検出部１１７は、文字認識結果により得られた文字情報とメニュー設定情報１０４ａの設定項目とを比較し、対応する設定項目を検出する。
【００３８】
設定画面表示部１１８は、設定項目検出部１１７により検出された設定項目の属する階層のメニュー設定画面を表示部１０２に表示する。
【００３９】
設定情報変更指示部１１９は、表示部１０２に表示されている設定項目のメニュー設定画面において、当該設定項目の設定値が変更されると、当該設定項目の設定値を変更後の設定値に変更することをプリンタ３に指示する。例えば、当該設定項目の変更後の設定値を含む変更要求コマンドを通信制御部１０５に与え、通信制御部１０５が、変更後の設定値を含む変更要求コマンドを有するパケットをプリンタ３宛に送信する。
【００４０】
記憶部１０４は、携帯端末１による処理に必要なデータや処理プログラム、プリンタリスト１０４ａ、メニュー設定情報１０４ｂ等を記憶している。
【００４１】
通信制御部１０５は、無線通信を行なう処理部であり、ネットワーク４のアクセスポイント２との間で情報の授受を行なうものである。
【００４２】
図３は、実施形態に係るプリンタ３の内部構成を示すブロック図である。
【００４３】
図３において、実施形態に係るプリンタ３は、制御部３１０、通信部３２０、記憶部３３０を有する。
【００４４】
制御部３１０は、プリンタ３の機能を司るものである。この実施形態におけるプリンタ３の主な機能として、制御部３１０は、プリンタ識別子送信部３１１、メニューマップ印刷実行部３１２、メニュー設定情報送信部３１３、設定情報変更部３１４を有する。
【００４５】
プリンタ識別子送信部３１１は、携帯端末１からプリンタ検索コマンドを受信すると、予め設定されている自身のプリンタ識別子を、要求元の携帯端末１に送信する。
【００４６】
メニューマップ印刷実行部３１２は、携帯端末１からメニューマップ印刷コマンドを受信すると、記憶部３３０に記憶されている設定情報３３１に基づいて、メニューマップを印刷する。
【００４７】
メニュー設定情報送信部３１３は、携帯端末１からメニュー設定情報取得コマンドを受信すると、記憶部３３０に記憶されている設定情報３３１に基づいて、メニュー設定情報を要求元の携帯端末１に送信する。
【００４８】
設定情報変更部３１４は、携帯端末１から受信した変更要求コマンドに基づいて、要求された設定項目の設定値を変更するものである。
【００４９】
通信部３２０は、ネットワーク４との間で情報の授受を行なうものである。
【００５０】
記憶部３３０は、プリンタ３による処理に必要なデータや処理プログラム、各機能の設定情報３３１等を記憶している。
【００５１】
（Ａ−２）実施形態の動作
次に、実施形態に係る画像処理システムにおける設定変更処理の動作を、図面を参照しながら詳細に説明する。
【００５２】
図４は、実施形態に係る携帯端末１における処理動作を示すフローチャートである。
【００５３】
まず、ユーザは、携帯端末１にインストールされているアプリケーションソフトとしての設定変更機能部１１０を起動する。携帯端末１において設定変更機能部１１０が起動すると、プリンタ検索部１１１がネットワーク４に接続しているプリンタ３を検索する（Ｓ１）。
【００５４】
プリンタリスト作成部１１２は、プリンタ３から受信したプリンタ識別子に基づいて、ネットワーク４上に存在する全てのプリンタ３のプリンタ名を含むプリンタリスト１０４ａを作成する。そして、プリンタ作成部１１２は、プリンタリスト１０４ａを含むプリンタ選択画面を表示部１０２に表示する（Ｓ２）。
【００５５】
図５は、実施形態に係るプリンタ選択画面を説明する説明図である。
【００５６】
図５に例示するように、プリンタ選択画面３００は、検索された全てのプリンタ３をプリンタリスト３０１に列挙する。ユーザは、表示部１０２に表示されているプリンタ選択画面３００のプリンタリスト３０１の中から設定情報の変更対象とするプリンタ３を選択する。例えば、図５のプリンタ選択画面３００のプリンタリスト３０１では、プリンタ名が付されている領域が選択ボタンとなっている。
【００５７】
図５のプリンタ選択画面３００において、プリンタ名の選択ボタン、若しくは、「戻るボタン３０２」（例えば、図５では戻るボタンを示す記号「＜」を表示している。）が選択されると、メニューマップ印刷画面２００が表示部１０２に表示される。なお、プリンタ名が選択されずに、戻るボタン３０２が選択されると、プリンタ３は未選択のまま、メニューマップ印刷画面２００が表示部１０２に表示される。
【００５８】
図６は、実施形態に係るメニューマップ印刷画面２００を説明する説明図である。
【００５９】
図６は、ユーザがプリンタ名として「Ｃｏｌｏｒ  Ｐｒｉｎｔｅｒ  ００１」が選択された場合を例示しており、図６のメニューマップ印刷画面２００のプリンタ名表示部２０１には、ユーザが選択した「Ｃｏｌｏｒ  Ｐｒｉｎｔｅｒ  ００１」が表示されている。なお、図６のメニューマップ印刷画面２００において、ユーザが戻るボタン２０３を選択した場合、再度、図５のプリンタ選択画面３００が表示部１０２に表示される。
【００６０】
図６のメニューマップ印刷面２００において、ユーザがメニューマップ印刷ボタン２０２である「Ｐｒｉｎｔ  Ｍｅｎｕ  Ｍａｐ」を選択すると、メニューマップ印刷指示部１１３は、ユーザが選択したプリンタ３に対してメニューマップ印刷コマンドを送信する（Ｓ３）。
【００６１】
例えば、メニューマップ印刷指示部１１３はメニューマップ印刷コマンド「Ｐｒｉｎｔ  Ｍｅｎｕｍａｐ」（図７参照）を通信制御部１０５に与え、通信制御部１０５がメニューマップ印刷コマンドを含むパケットを、選択されたプリンタ３に送信する。そして、メニューマップ印刷コマンドを受信したプリンタ３は、自身に設定されている設定情報のメニューマップを印刷する。
【００６２】
図８は、実施形態に係るプリンタ３が印刷するメニューマップを説明する説明図である。
【００６３】
メニューマップ印刷コマンドを受信したプリンタ３は、図８に例示するような、自身に設定されている階層構造を持つ設定情報の全体的な構成を示すメニューマップを印刷する。
【００６４】
図８に例示するように、メニューマップは、ヘッダ部分には、プリンタ３のファームウェアの情報が印刷される。また、メニューマップのヘッダ部分の下に、プリンタ３に設定されている階層化された設定情報の一覧が印刷される。例えば、図８において、メニュー設定「ＭＡＩＮＴＥＮＡＮＣＥ  ＭＥＮＵ」には、「ＭＥＮＵ  ＲＥＳＥＴ」、「ＳＡＶＥ  ＭＥＮＵ」、「ＰＯＷＥＲ  ＳＡＶＥ」、「ＳＬＥＥＰ」、「ＰＡＰＥＲ  ＢＬＡＣＫ  ＳＥＴ」、「ＰＡＰＥＲ  ＣＯＬＯＲ  ＳＥＴ」、「ＰＡＰＥＲ  ＣＯＬＯＲ  ＳＥＴ」、「ＳＭＲ  ＳＥＴＴＩＮＧ」、「ＢＧ  ＳＥＴＴＩＮＧ」の設定項目の名称が印刷され、各設定項目の現在の設定値が設定項目の名称に併記されて印刷される。このように、メニューマップが印刷されることで、ユーザは設定情報の全体的な設定値を認識できる。
【００６５】
また、図６のメニューマップ印刷面２００において、ユーザがメニューマップ印刷ボタン２０２である「Ｐｒｉｎｔ  Ｍｅｎｕ  Ｍａｐ」を選択すると、メニュー設定情報取得要求部１１４は、ユーザが選択したプリンタ３に対してメニュー設定情報取得コマンドを送信して、当該プリンタ３からメニュー設定情報１０４ｂを取得する（Ｓ４）。
【００６６】
例えば、メニュー設定情報取得要求部１１４はメニュー設定情報取得コマンド「Ｉｎｆｏ  Ｓｅｔｔｉｎｇｓ」（図７参照）を通信制御部１０５に与え、通信制御部１０５がメニュー設定情報取得コマンドを含むパケットを、選択されたプリンタ３に送信する。そして、メニュー設定情報取得コマンドを受信したプリンタ３は、自身に設定されているメニュー設定情報を、携帯端末１に送信する。そして、メニュー設定情報取得要求部１１４は、取得したメニュー設定情報１０４ｂを記憶部１０４に記憶する。
【００６７】
図９は、実施形態に係る携帯端末１がプリンタ３から取得したメニュー設定情報１０４ｂを説明する説明図である。
【００６８】
図９に示すように、メニュー設定情報１０４ｂは、「設定項目」の名称、当該プリンタ３に設定されている現在の「設定値」、「設定値の取り得る範囲」に関する情報が含まれている。
【００６９】
そして、ユーザがメニューマップ印刷ボタン２０２を選択すると、画像入力部１１６が撮像部１０３を起動させ（Ｓ５）、表示部１０２は、設定画像入力画面を表示する。
【００７０】
図１０は、実施形態に係る設定画像入力画面を説明する説明図である。
【００７１】
図１０に示すように、設定画像入力画面４００は、撮像部１０３が撮像している撮像画像を表示する撮像画像表示領域４０１と、撮像画像表示領域４０１の中央付近に表示されるメニュー設定名認識領域４０２とを有する。例えば、メニュー設定名認識領域４０２は、図１０に例示するように、矩形形状の領域とすることができる。
【００７２】
例えば、図１０では、ユーザが、図８のメニューマップの「ＭＡＩＮＴＥＮＡＮＣＥ  ＭＥＮＵ」のうち、「ＰＯＷＥＲ  ＳＡＶＥ」の設定値を変更するため、メニュー設定名認識領域４０２内に、「ＰＯＷＥＲ  ＳＡＶＥ」の文字列が収まるように撮像している場合を例示している。
【００７３】
ユーザが、携帯端末１に搭載されている撮像部１０３でメニューマップに印刷されている設定項目の中から、設定情報の変更を希望する設定項目の名称を撮像する。このとき、ユーザは、メニューマップ上の設定項目の名称がメニュー設定名認識領域４０２内に収まるように撮像する。
【００７４】
メニュー設定名認識領域４０２の画像データは画像入力部１１６に入力される（Ｓ６）。設定項目検出部１１７は、メニュー設定名認識領域４０２に映されている画像データから文字認識処理を行ない、設定項目検出部１１７は、文字認識した文字列を抽出する（Ｓ７）。
【００７５】
そして、設定項目検出部１１７は、抽出した文字列とメニュー設定情報１０４ｂの「設定項目」にある設定項目の名称とを比較して、メニュー設定情報１０４ｂから、対応する設定項目を検出する（Ｓ８）。
【００７６】
このとき、メニュー設定情報１０４ｂから、抽出した文字列と一致する設定項目がない場合（Ｓ８；Ｎｏ）、撮像部１０３からメニュー設定名認識領域４０２の画像データを再度入力して、Ｓ６〜Ｓ８の処理を繰り返し行う。
【００７７】
また、メニュー設定情報１０４ｂから、抽出した文字列と一致する設定項目がある場合（Ｓ８；Ｙｅｓ）、設定画面表示部１１８は、メニュー設定情報１０４ｂから、当該設定項目、現在の設定値、設定値の取り得る範囲の情報を読み出して、メニュー設定画面を表示部１０２に表示する（Ｓ９）。
【００７８】
図１１は、実施形態に係るメニュー設定画面を説明する説明図である。
【００７９】
図１１に示すように、メニュー設定画面５００は、上部の中央部に設定項目名表示部５０１に「Ｐｏｗｅｒ  Ｓａｖｅ」が表示される。また、図９に例示するように、メニュー設定情報１０４ｂの設定項目「Ｐｏｗｅｒ  Ｓａｖｅ」の「設定値の取り得る範囲」は「Ｅｎａｂｌｅ、Ｄｉｓａｂｌｅ」であるため、メニュー設定画面５００には、「Ｅｎａｂｌｅ」、「Ｄｉｓａｂｌｅ」が表示される。さらに、図９に例示するように、メニュー設定情報１０４ｂの設定項目「Ｐｏｗｅｒ  Ｓａｖｅ」の「設定値」は「Ｅｎａｂｌｅ」であるため、現在の設定状態が分かるようにするため、「Ｅｎａｂｌｅ」が太文字で表示されている。
【００８０】
そして、メニュー設定画面５００において、ユーザ操作により設定値が変更されたとき（Ｓ１０；Ｙｅｓ）、設定情報変更指示部１１９は、変更後の設定値を含む変更要求コマンドをプリンタ３に送信する（Ｓ１１）。なお、メニュー選択画面５００において、ユーザ操作により設定値が変更されないとき（Ｓ１０；Ｎｏ）、処理は終了する。
【００８１】
例えば、図１１のメニュー設定画面５００において、ユーザが、設定項目「Ｐｏｗｅｒ  Ｓａｖｅ」の「設定値」を「Ｄｉｓａｂｌｅ」を選択する。そして、ユーザが、メニュー設定画面５００の保存ボタンであるＳａｖｅボタン５０４を選択すると、設定情報変更指示部１１９は、設定項目「ＰＯＷＥＲ  ＳＡＶＥ」の変更要求コマンドである「Ｓｅｔ  ＰｏｗｅｒＳａｖｅ  Ｄｉｓａｂｌｅ」を通信制御部１０５に与え、通信制御部１０５が、「Ｓｅｔ  ＰｏｗｅｒＳａｖｅ  Ｄｉｓａｂｌｅ」を有するパケットをプリンタ３宛に送信する。
【００８２】
変更要求コマンドを受信したプリンタは、受信した変更要求コマンドに基づいて、要求された設定項目の設定値を、変更後の設定値に変更する。
【００８３】
なお、図１１のメニュー設定画面５００において、ユーザが、戻るボタンである「＜Ｍａｉｎｔｅｎａｃｅ」ボタン５０３を選択すると、１階層上のメニュー画面（図１２参照）が表示部１０２に表示される。
【００８４】
図１２は、実施形態に係る階層メニュー画面を説明する説明図である。
【００８５】
図１２は、設定項目「ＰＯＷＥＲ  ＳＡＶＥ」の１階層上の「Ｍａｉｎｔｅｎａｃｅ  Ｍｅｎｕ」の階層メニュー画面である。
【００８６】
図１２の階層メニュー画面６００は、上位階層表示部６０１に「Ｍａｉｎｔｅｎａｃｅ  Ｍｅｎｕ」が表示され、当該「Ｍａｉｎｔｅｎａｃｅ  Ｍｅｎｕ」に属する全ての設定項目６０２が表示されている。
【００８７】
なお、図１２の階層メニュー画面６００は、戻るボタンである「＜ＲＯＯＴ」ボタン６０３を有しており、ユーザが、戻るボタンである「＜ＲＯＯＴ」ボタン６０３を選択すると、更に１階層上の設定項目が表示される。なお、最上位の階層の設定項目の階層メニュー画面が表示されているときには、更に上位の階層がないため、戻るボタンである「＜ＲＯＯＴ」ボタン６０３は表示されない。
【００８８】
（Ａ−３）実施形態の効果
以上のように、この実施形態によれば、印刷したメニューマップ上の設定項目の名称を携帯端末のカメラが撮像し、その撮像画像から設定項目の名称（文字列）に一致する設定メニューを表示するようにした。これにより、ユーザは目的の設定メニュー表示するために、階層構造の設定メニューをたどることなく、１度の操作で設定メニューを表示することができる。そのため、設定メニューを表示する時間を軽減できるという効果が得られる。
【００８９】
（Ｂ）他の実施形態
上述した実施形態においても種々の変形実施形態を言及したが、以下の変形実施形態にも適用できる。
【００９０】
上述した実施形態では、画像形成装置がプリンタである場合を例示したが、画像形成装置はプリンタに限定されない。例えば、画像形成装置は、複合機（ＭＦＰ）、コピー機、スキャナ、ＦＡＸ装置等にも適用できる。
【符号の説明】
【００９１】
１…携帯端末、３−１〜３−ｎ…プリンタ、５…画像処理システム、
１０１…操作部、１０２…表示部、１０３…撮像部、１０４…記憶部、１１０…設定錠変更部、１１１…プリンタ検索部、１１２…プリンタリスト作成部、１１３…メニューマップ印刷指示部、１１４…メニュー設定情報取得要求部、１１５…設定画面表示制御部、１１６…画像入力部、１１７…設定項目検出部、１１８…設定画面表示部、１１９…設定情報変更指示部。
【図１】
2017076192.tif 000003
【図２】
2017076192.tif 000004
【図３】
2017076192.tif 000005
【図４】
2017076192.tif 000006
【図５】
2017076192.tif 000007
【図６】
2017076192.tif 000008
【図７】
2017076192.tif 000009
【図８】
2017076192.tif 000010
【図９】
2017076192.tif 000011
【図１０】
2017076192.tif 000012
【図１１】
2017076192.tif 000013
【図１２】
2017076192.tif 000014